(57)【要約】      （修正有）【課題】スクリーン枠取付装置及び製版印刷システムにおいて、簡素な構成で且つ簡単にスクリーン枠の位置調整を行う。【解決手段】スクリーンを保持するスクリーン枠１が取り付けられる製版装置１０及び印刷装置（スクリーン枠取付装置の一例）は、スクリーン枠１の周縁に設けられた枠側位置決め部材３（枠側位置決め部の一例）に対してスクリーン枠１の位置決めを行う装置側位置決め部材１４（装置側位置決め部の一例）を備える。装置側位置決め部材１４は、この装置側位置決め部材１４及び枠側位置決め部材３のうちの一方に設けられた凸部１４ａが他方に設けられた凹部３ａに挿入されることによって、スクリーン枠１の位置決めを行う。【選択図】図２
2020192687.tif 000002
【特許請求の範囲】
【請求項１】
スクリーンを保持するスクリーン枠が取り付けられるスクリーン枠取付装置であって、
前記スクリーン枠の周縁に設けられた枠側位置決め部に対して前記スクリーン枠の位置決めを行う装置側位置決め部を備え、
前記装置側位置決め部は、当該装置側位置決め部及び前記枠側位置決め部のうちの一方に設けられた凸部が他方に設けられた凹部に挿入されることによって、前記スクリーン枠の位置決めを行う
ことを特徴とするスクリーン枠取付装置。
【請求項２】
前記装置側位置決め部は、前記凸部の前記凹部に対する挿入方向に直交する断面積が先端部分にかけて小さくなる前記凸部、又は前記断面積が内部よりも開口部分で大きい前記凹部を有する
ことを特徴とする請求項１記載のスクリーン枠取付装置。
【請求項３】
前記装置側位置決め部は、前記スクリーン枠の取付領域において、前記凸部の前記凹部に対する挿入方向に直交する１辺の中央に設けられている
ことを特徴とする請求項１又は２記載のスクリーン枠取付装置。
【請求項４】
前記装置側位置決め部は、前記凸部の前記凹部に対する挿入方向に直交する方向に位置調整可能に配置されている
ことを特徴とする請求項１乃至３のいずれか１項記載のスクリーン枠取付装置。
【請求項５】
スクリーン枠が取り付けられる製版装置と、
前記スクリーン枠が取り付けられる印刷装置とを具備し、
前記製版装置及び前記印刷装置のそれぞれは、前記スクリーン枠の周縁に設けられた枠側位置決め部に対して前記スクリーン枠の位置決めを行う装置側位置決め部を備え、
前記製版装置の前記装置側位置決め部と前記印刷装置の前記装置側位置決め部とは、前記スクリーン枠の取り付け領域において、前記スクリーン枠の左右方向における１辺のうち、中央に設けられているか、又は当該中央に対する位置が共通である
ことを特徴とする製版印刷システム。
【請求項６】
前記装置側位置決め部及び前記枠側位置決め部は、一方が凸部であり他方が凹部である
ことを特徴とする請求項５記載の製版印刷システム。
【発明の詳細な説明】
【技術分野】
【０００１】
本発明は、スクリーン枠が取り付けられるスクリーン枠取付装置と、それぞれスクリーン枠が取り付けられる製版装置及び印刷装置を備える製版印刷システムとに関する。
【背景技術】
【０００２】
従来、スクリーン印刷用の製版装置において、スクリーン枠によって保持されたスクリーンには、例えば、サーマルヘッドによって印刷部分に感熱穿孔が施される。或いは、メッシュ状のスクリーンの印刷部分以外で薬剤を硬化させることなどによっても製版が行われる。
【０００３】
スクリーンの製版後、ユーザは、スクリーン枠を製版装置から取り外して印刷装置に取り付け、スキージによりスクリーンの孔を通してインクを印刷対象物に塗布する。
【０００４】
製版装置や印刷装置においてスクリーン枠が取り付けられる際には、スクリーン枠の前後左右の位置精度を確保する必要があるため、例えば、スクリーン枠の周縁に基準面を設け、前後方向及び左右方向のそれぞれに位置調整を行う手法などが提案されている（例えば、特許文献１参照）。
【先行技術文献】
【特許文献】
【０００５】
【特許文献１】特開平１１−４２７６１号公報
【発明の概要】
【発明が解決しようとする課題】
【０００６】
しかしながら、上述のように、スクリーン枠の基準面を用いて前後方向及び左右方向のそれぞれにスクリーン枠の位置調整を行うと、前後方向の位置調整機構及び左右方向の位置調整機構が配置されることになる。これにより、スクリーン枠が取り付けられる製版装置や印刷装置が大型化するとともに、スクリーン枠の位置調整に手間や労力がかかる。
【０００７】
なお、特に印刷装置では、スクリーン枠の１辺を保持部によって挟み込んで保持することが行われている。この保持部に対するスクリーン枠の位置調整を行うために、スクリーン枠が突き当てられる突き当て部材を隣接する２つの辺に配置し、この２つの辺の間の１つの角を基準にしてスクリーン枠の位置調整を行うことが考えられる。しかしながら、スクリーン枠には大小様々なサイズのものがあることから、例えば、１辺の突き当て部材の位置を移動させることが必要となるなど、手間や労力がかかる。
【０００８】
本発明の目的は、簡素な構成で且つ簡単にスクリーン枠の位置調整を行うことができるスクリーン枠取付装置及び製版印刷システムを提供することである。
【課題を解決するための手段】
【０００９】
１つの態様では、スクリーン枠取付装置は、スクリーンを保持するスクリーン枠が取り付けられるスクリーン枠取付装置であって、前記スクリーン枠の周縁に設けられた枠側位置決め部に対して前記スクリーン枠の位置決めを行う装置側位置決め部を備え、前記装置側位置決め部は、当該装置側位置決め部及び前記枠側位置決め部のうちの一方に設けられた凸部が他方に設けられた凹部に挿入されることによって、前記スクリーン枠の位置決めを行う。
【発明の効果】
【００１０】
前記態様によれば、簡素な構成で且つ簡単にスクリーン枠の位置調整を行うことができる。
【図面の簡単な説明】
【００１１】
【図１】製版装置及びスクリーン枠を示す斜視図である。
【図２】製版装置におけるスクリーン枠の位置調整を説明するための斜視図である。
【図３】製版装置の装置側位置決め部材等を示す斜視図（その１）である。
【図４】製版装置の装置側位置決め部材等を示す斜視図（その２）である。
【図５】スクリーン枠を示す分解斜視図である。
【図６】印刷装置及びスクリーン枠を示す右側面図である。
【図７】印刷装置の保持部及び装置側位置決め部材を示す拡大右側面図である。
【図８】印刷装置におけるスクリーン枠の位置調整を説明するための斜視図である。
【図９】印刷装置の保持部及び装置側位置決め部材を示す斜視図である。
【図１０】印刷装置の保持部及び装置側位置決め部材を示す分解斜視図である。
【図１１】変形例における保持部及び装置側位置決め部材を示す斜視図である。
【図１２】比較例におけるスクリーン枠の位置調整を説明するための斜視図（その１）である。
【図１３】比較例におけるスクリーン枠の位置調整を説明するための斜視図（その２）である。
【発明を実施するための形態】
【００１２】
以下、本発明の実施の形態に係るスクリーン枠取付装置及び製版印刷システムについて、図面を参照しながら説明する。
【００１３】
本実施の形態では、製版装置１０及び印刷装置２０のそれぞれが、スクリーン枠１が取り付けられるスクリーン枠取付装置の一例として機能する。また、製版装置１０及び印刷装置２０は、製版印刷システムの一部とみなすことができる。換言すると、製版印刷システムは、製版装置１０及び印刷装置２０を具備する。
【００１４】
図１は、製版装置１０及びスクリーン枠１を示す斜視図である。
図２は、製版装置１０におけるスクリーン枠１の位置調整を説明するための斜視図である。
【００１５】
図３及び図４は、製版装置１０の装置側位置決め部材１４等を示す斜視図である。
図５は、スクリーン枠１を示す分解斜視図である。
【００１６】
なお、図１〜図５並びに後述する図６〜図１３に示す前後、上下、及び左右の各方向は、スクリーン枠１の突き当て方向（天側）を前方とした場合の一例にすぎないが、例えば、前後方向及び左右方向が水平方向であり、上下方向が鉛直方向である。
【００１７】
図１に示すように、製版装置１０は、枠状本体１１と、製版部１２と、取付部材１３と、装置側位置決め部材１４と、突き当て部材１５，１６と、スライド部材１７とを備える。
【００１８】
枠状本体１１は、矩形枠状を呈し、上部にスクリーン枠１が取り付けられる。
製版部１２は、スクリーン枠１の上方（図示せず）及び下方のうち一方に配置されるプラテンと、他方に配置されるサーマルヘッドとを有する。このサーマルヘッドは、プラテンとともに前後方向（又は、前後方向及び左右方向）に移動し、画像データに基づき、スクリーン枠１の例えば底面に保持されたスクリーンの印刷部分となる領域に感熱穿孔を施す。なお、スクリーンに対する印刷部分の孔の形成方法は、サーマルヘッドを用いた感熱穿孔に限らず、例えば、メッシュ状のスクリーンに対して光硬化性の薬剤を印刷部分以外で硬化させる手法などが用いられてもよい。
【００１９】
取付部材１３は、枠状本体１１の前部上面に配置された例えばＬ字状の板金である。図３及び図４に示すように、取付部材１３には、この取付部材１３を前後方向に貫通する複数の長孔１３ａが左右方向に並んで設けられている。これらの長孔１３ａは、上下方向よりも左右方向に長い。
【００２０】
図２〜図４に示すように、装置側位置決め部材１４は、取付部材１３の長孔１３ａにおいて図示しないネジによって取付けられている。装置側位置決め部材１４は、スクリーン枠１の位置決めを行う装置側位置決め部の一例である。装置側位置決め部材１４には、スクリーン枠１側である後方に突出する凸部１４ａが設けられている。この凸部１４ａは、後述するスクリーン枠１の枠側位置決め部材３の凹部３ａに挿入される。なお、スクリーン枠１の枠側位置決め部材３に凹部３ａではなく前方に突出するように凸部が設けられる場合には、装置側位置決め部材１４には、この凸部に挿入される凹部が装置側位置決め部材１４の後端（スクリーン枠１側）に開口するように設けられるとよい。また、凸部１４ａは、枠状本体１１（取付部材１３）に取り付けられた装置側位置決め部材１４ではなく、枠状本体１１などに設けられていてもよい。この場合、凸部自体が装置側位置決め部として機能する。なお、装置側位置決め部（装置側位置決め部材１４）と枠側位置決め部（枠側位置決め部材３）とは、凸部１４ａ及び凹部３ａを用いた位置決めに限らず、磁石等の他の位置決め手段を用いた位置決めを行うものであってもよい。
【００２１】
凸部１４ａの先端部分（後方の端部）は、Ｒ面取りされ、平面視において半円形状を呈する。或いは、凸部１４ａの先端部分は、Ｃ面取りされていてもよい。これらのように、凸部１４ａは、凹部３ａへの挿入を容易にするため、凹部３ａに対する挿入方向（前後方向）に直交する断面積（上下左右に拡がる面の面積）が先端部分にかけて小さくなるとよい。
【００２２】
図２に示すように、凸部１４ａは、製版装置１０の枠状本体１１内の取付領域Ａ１において、凸部１４ａの凹部３ａに対する挿入方向（前後方向）に直交する１辺（左右方向）の中央（取付領域Ａ１の前後方向に延びる中心線Ｃ１上）に設けられていることが望ましい。なお、スクリーン枠１の凹部３ａが左右方向の中央から左右方向にシフトして配置されている場合には、この左右方向のシフト量分、凸部１４ａも中央から左右方向にシフトして配置されているとよい。
【００２３】
装置側位置決め部材１４は、上述のように上下方向よりも左右方向に長い長孔１３ａにおいて取付部材１３に取り付けられることによって、左右方向（凸部１４ａの凹部３ａに対する挿入方向に直交する方向の一例）に位置調整可能に配置されている。
【００２４】
突き当て部材１５，１６は、装置側位置決め部材１４の左方及び右方において、取付部材１３に取り付けられている。突き当て部材１５，１６には、枠側位置決め部材３の突き当て凸部３ｂ，３ｃが突き当てられる。なお、突き当て部材１５，１６も、装置側位置決め部材１４と同様に、取付部材１３の長孔１３ａにおいて左右方向に位置調整可能に図示しないネジによって取付けられている。また、突き当て部材１５，１６が省略され、枠状本体１１などに設けられた突き当て部にスクリーン枠１が突き当てられてもよい。
【００２５】
図１に示すスライド部材１７は、枠状本体１１内で前後方向にスライド可能に配置されている。スライド部材１７の上面には、スクリーン枠１を突き当て部材１５，１６に向けて押圧するための２つのピン１７ａ，１７ｂが上方に突出するように設けられている。スライド部材１７が前方にスライドすることで、ピン１７ａ，１７ｂによって押圧されるスクリーン枠１は、突き当て部材１５，１６に突き当てられる。スライド部材１７は、前後方向の位置を固定可能に配置されており、スクリーン枠１が突き当て部材１５，１６に突き当てられた状態で、前後方向の位置を固定される。なお、スクリーン枠１を突き当て部材１５，１６に突き当てるためには、後方側からスクリーン枠１を前方に押圧するスライド部材１７が省略され、前方側からスクリーン枠１を前方に引っ張る機構が用いられてもよい。
【００２６】
図５に示すように、スクリーン枠１は、枠体２と枠側位置決め部材３とを備える。
枠体２は、矩形枠状を呈し、例えば底面において図示しないスクリーンを保持する。
【００２７】
枠側位置決め部材３は、板状を呈し、枠体２の短辺の上面において、枠体２の周縁から前方に突出するように配置されている。枠側位置決め部材３には、枠体２よりも前方に突出する部分において、凹部３ａ及び突き当て凸部３ｂ，３ｃが設けられている。これらの凹部３ａ及び突き当て凸部３ｂ，３ｃは、スクリーン枠１の外周面に設けられているといえる。
【００２８】
凹部３ａには、上述のスライド部材１７が前方にスライドすることによって突き当て凸部３ｂ，３ｃが上述の突き当て部材１５，１６に突き当てられた状態で、装置側位置決め部材１４の凸部１４ａが挿入される。これにより、スクリーン枠１の左右方向のガタツキが抑えられる。なお、凹部３ａは、スクリーン枠１における左右方向の中央に設けられていることが望ましい。また、凹部３ａは、枠側位置決め部材３の前端（装置側位置決め部材１４側）に開口するように設けられ、開口部分がＲ面取りされている。或いは、凹部３ａの開口部分は、Ｃ面取りされていてもよい。このように、凹部３ａは、凸部１４ａの挿入方向（前後方向）に直交する断面積が内部よりも開口部分で大きくなるとよい。
【００２９】
突き当て凸部３ｂ，３ｃは、凹部３ａの左方及び右方において、枠側位置決め部材３の前端から前方に突出するように設けられている。
【００３０】
なお、凹部３ａ及び突き当て凸部３ｂ，３ｃは、枠体２に固定された枠体２とは別体の枠側位置決め部材３ではなく、枠体２に設けられていてもよい。この場合、枠体２に設けられた凹部自体が枠側位置決め部として機能する。また、上述のように、装置側位置決め部材１４に凸部１４ａではなく凹部が設けられる場合には、スクリーン枠１には、装置側位置決め部材１４の凸部１４ａが挿入される凹部３ａではなく、装置側位置決め部材１４の凹部に挿入される凸部が設けられるとよい。
【００３１】
枠体２及び枠側位置決め部材３には、例えば４つずつの取付孔２ａ，３ｄが設けられ、図示しないネジによって枠側位置決め部材３が枠体２に固定される。
【００３２】
スクリーン枠１の枠体２によって保持されたスクリーンが、製版部１２によって感熱穿孔を施されると、ユーザは、スライド部材１７を後方にスライドさせ、スクリーン枠１を１０から取り出す。そして、ユーザは、スクリーン枠１を印刷装置２０に取り付ける。
【００３３】
図６は、印刷装置２０及びスクリーン枠１を示す右側面図である。
図７は、印刷装置２０の保持部２１及び装置側位置決め部材２２を示す拡大右側面図である。
【００３４】
図８は、印刷装置２０におけるスクリーン枠１の位置調整を説明するための斜視図である。
【００３５】
図９及び図１０は、保持部２１及び装置側位置決め部材２２を示す斜視図及び分解斜視図である。
【００３６】
なお、図８では、２つの押さえネジ２１ｂ、及び押さえ部２１ｃの図示を省略している。
【００３７】
図６に示すように、印刷装置２０は、保持部２１と、装置側位置決め部材２２と、載置台２３と、脚部２４と、回動アーム２５と、回動軸２６と、スライドアーム２７とを備える。
【００３８】
保持部２１は、ベース部２１ａと、押さえネジ２１ｂと、押さえ部２１ｃと、図９に示すように２つの取付ネジ２１ｄとを有する。
【００３９】
ベース部２１ａは、例えば右側面視において横向きのＵ字状の板金である。ベース部２１ａは、突き当て鉛直部２１ａ−１と、この突き当て鉛直部２１ａ−１の上端から後方に延びる上水平部２１ａ−２と、突き当て鉛直部２１ａ−１の下端から後方に延びる下水平部２１ａ−３とを含む。突き当て鉛直部２１ａ−１には、上述の枠側位置決め部材３の突き当て凸部３ｂ，３ｃが突き当てられる。
【００４０】
図９に示す２つの押さえネジ２１ｂは、頭部の図示が省略されているが、上水平部２１ａ−２に設けられたネジ孔に挿入されている。
【００４１】
図６及び図７に示すように、押さえ部２１ｃは、右側面視において下向きのＶ字状を呈する。押さえ部２１ｃは、２つの押さえネジ２１ｂを回動可能に支持し、押さえネジ２１ｂの回動によって上下動する。押さえ部２１ｃは、スクリーン枠１の枠側位置決め部材３及び枠体２を下水平部２１ａ−３との間に挟み込む。これにより、保持部２１は、スクリーン枠１を保持する。
【００４２】
図９に示す２つの取付ネジ２１ｄは、ベース部２１ａの突き当て鉛直部２１ａ−１において、保持部２１を図６に示す回動アーム２５に固定する。
【００４３】
図９及び図１０に示すように、装置側位置決め部材２２は、凸部２２ａと、支持プレート２２ｂとを有する。装置側位置決め部材２２は、スクリーン枠１の位置決めを行う装置側位置決め部の一例である。
【００４４】
凸部２２ａは、例えば、支持プレート２２ｂから下方に延出する円柱形状のピンである。この凸部２２ａは、上述のスクリーン枠１の枠側位置決め部材３の凹部３ａに挿入される。凸部２２ａは、支持プレート２２ｂと一体であっても別体であってもよい。なお、凸部２２ａは、円柱形状のピンであるため、後方の端部である先端部分は、平面視において半円形状を呈する。このように、凸部２２ａは、凹部３ａに対する挿入方向（前後方向）に直交する断面積が先端部分にかけて小さくなるとよい。なお、スクリーン枠１の枠側位置決め部材３に凹部３ａではなく前方に突出するように凸部が設けられる場合には、装置側位置決め部材２２には、この凸部が挿入される凹部が装置側位置決め部材２２の後端（スクリーン枠１側）に開口するように設けられるとよい。
【００４５】
図８に示すように、凸部２２ａは、例えば載置台２３の上方であるスクリーン枠１の取付領域Ａ２において、凸部２２ａの凹部３ａに対する挿入方向（前後方向）に直交する１辺（左右方向）の中央（取付領域Ａ２の前後方向に延びる中心線Ｃ２上）に設けられていることが望ましい。また、凸部２２ａは、左右方向において、保持部２１の中央に設けられていることが望ましい。なお、スクリーン枠１の凹部３ａが左右方向の中央から左右方向にシフトして配置されている場合には、装置側位置決め部材１４の凸部１４ａと同様に、左右方向のシフト量分、凸部２２ａも中央から左右方向にシフトして配置されているとよい。この場合、装置側位置決め部材１４の凸部１４ａと装置側位置決め部材２２の凸部２２ａとは、左右方向の中央に対する位置（シフト量）が共通となる。
【００４６】
なお、凸部２２ａは、装置側位置決め部材２２ではなく、保持部２１などに設けられていてもよい。この場合、保持部２１が装置側位置決め部として機能する。
【００４７】
図１０に示すように、上水平部２１ａ−２には、この上水平部２１ａ−２を上下方向に貫通する長孔２１ａ−４が設けられている。この長孔２１ａ−４は、前後方向よりも左右方向に長い。凸部２２ａは、長孔２１ａ−４に上方から挿入されている。そのため、装置側位置決め部材２２は、左右方向（凸部２２ａの凹部３ａに対する挿入方向に直交する方向の一例）に位置調整可能に配置されている。なお、支持プレート２２ｂにも、上下方向に貫通し、前後方向よりも左右方向に長い長孔２２ｂ−１が設けられている。装置側位置決め部材２２は、この長孔２２ｂ−１において、図示しないネジによって上水平部２１ａ−２に取り付けられる。
【００４８】
図６に示す載置台２３には、印刷対象物が載置される。
脚部２４は、載置台２３を支持する。
【００４９】
回動アーム２５には、上述のように２つの取付ネジ２１ｄによって保持部２１が固定されている。回動アーム２５は、左右方向に延びる回動軸２６によって回動自在に連結されている。そのため、回動アーム２５に固定された保持部２１（及びこの保持部２１に固定された装置側位置決め部材２２）は、回動軸２６を回動中心として回動する。これにより、保持部２１は、スクリーン枠１を水平に保持する図６に示す印刷時の位置と、この印刷時の位置よりも上方に退避した位置とに移動可能となっている。
【００５０】
スライドアーム２７は、回動軸２６に回動不能に連結され、前後方向にスライド移動する。これにより、保持部２１は、上述のように左右方向を回動中心軸として回動するとともに、回動軸２６とともに前後方向に移動可能となっている。なお、保持部２１は、上下方向の位置も調整可能であるとよい。
【００５１】
ユーザは、スクリーン枠１を印刷装置２０に取り付ける場合、図８に示すようにスクリーン枠１の凹部３ａに装置側位置決め部材２２の凸部２２ａが挿入されてスクリーン枠１の左右方向のガタツキが抑えられるように、枠側位置決め部材３の突き当て凸部３ｂ，３ｃを突き当て鉛直部２１ａ−１に突き当てる。また、ユーザは、押さえネジ２１ｂ，２１ｂによって押さえ部２１ｃを下降させ、押さえ部２１ｃと下水平部２１ａ−３との間に枠側位置決め部材３及び枠体２を挟み込む。その後、ユーザは、スキージによりスクリーンの孔（印刷部分）を通してインクを塗布することによって、載置台２３上に載置される印刷対象物に対し印刷を行う。
【００５２】
図１１は、変形例における保持部２１及び装置側位置決め部材２９を示す斜視図である。
【００５３】
本変形例では、装置側位置決め部材２２に代えて、位置決め部材２９が配置されていることのみ上述の説明と異なる。そのため、詳細な説明は省略する。
【００５４】
図１１に示すように、装置側位置決め部材２９は、凸部２９ａと、支持プレート２９ｂとを有する。装置側位置決め部材２９は、スクリーン枠１の位置決めを行う装置側位置決め部の一例である。
【００５５】
凸部２９ａは、例えば、支持プレート２９ｂから、上下方向を中心軸とした半円柱形状に後方へ突出する。この凸部２９ａは、上述のスクリーン枠１の枠側位置決め部材３の凹部３ａに挿入される。凸部２９ａは、支持プレート２９ｂと一体であっても別体であってもよい。なお、凸部２９ａは、半円柱形状を呈するため、後方の端部である先端部分は、平面視において半円形状を呈する。このように、凸部２９ａは、凹部３ａに対する挿入方向（前後方向）に直交する断面積が先端部分にかけて小さくなるとよい。なお、スクリーン枠１の枠側位置決め部材３に凹部３ａではなく前方に突出するように凸部が設けられる場合には、印刷装置２０（例えば、保持部２１）には、この凸部に挿入される凹部が装置側位置決め部材２９の後端（スクリーン枠１側）に開口するように設けられるとよい。
【００５６】
凸部２９ａは、図８に示す凸部２２ａと同様に、例えば載置台２３の上方であるスクリーン枠１の取付領域Ａ２において、凸部２９ａの凹部３ａに対する挿入方向（前後方向）に直交する１辺（左右方向）の中央（取付領域Ａ２及び装置側位置決め部材２９の前後方向に延びる中心線Ｃ２上）に設けられていることが望ましい。また、凸部２９ａは、左右方向において、保持部２１の中央に設けられていることが望ましい。なお、スクリーン枠１の凹部３ａが左右方向の中央から左右方向にシフトして配置されている場合には、装置側位置決め部材１４の凸部１４ａと同様に、左右方向のシフト量分、凸部２９ａも中央から左右方向にシフトして配置されているとよい。この場合、装置側位置決め部材１４の凸部１４ａと装置側位置決め部材２９の凸部２９ａとは、左右方向の中央に対する位置（シフト量）が共通となる。
【００５７】
なお、凸部２９ａは、装置側位置決め部材２９ではなく、保持部２１などに設けられていてもよい。この場合、凸部自体又は保持部２１が装置側位置決め部として機能する。
【００５８】
支持プレート２９ｂは、上述のように保持部２１を回動アーム２５に固定するための２つの押さえネジ２１ｂによってベース部２１ａの突き当て鉛直部２１ａ−１に固定されている。
【００５９】
支持プレート２９ｂには、この支持プレート２９ｂを前後方向に貫通する２つの長孔２９ｂ−１が設けられている。この長孔２９ａ−１は、左右方向よりも上下方向に長い。そのため、装置側位置決め部材２９は、上下方向（凸部２９ａの凹部３ａに対する挿入方向に直交する方向の一例）に位置調整可能に配置されている。なお、装置側位置決め部材２９は、左右方向（凸部２９ａの凹部３ａに対する挿入方向に直交する方向の他の一例）に位置調整可能に配置されていてもよい。
【００６０】
図１２及び図１３は、比較例におけるスクリーン枠（枠体２）の位置調整を説明するための斜視図である。
【００６１】
本比較例では、枠体２には上述の枠側位置決め部材３が固定されていない。そのため、枠体２自体がスクリーン枠である。また、保持部２１は、装置側位置決め部材２２が固定されず、ベース部２１ａに枠体２が突き当てられない。なお、装置側位置決め部材２２が保持部２１に固定され、後述する角突き当て部材３２及び突き当て部材３３，３４とともに装置側位置決め部材２２を用いて、スクリーン枠１の位置調整を行ってもよい。
【００６２】
取付部材３１は、保持部２１に固定されている例えばＬ字状の板金である。取付部材３１には、枠体２の左辺と前辺との間の角において枠体２が左方に突き当てられる角突き当て部材３２が取り付けられている。
【００６３】
また、取付部材３１には、枠体２が前方に突き当てられる２つの突き当て部材３３，３４が取り付けられている。
【００６４】
このような角突き当て部材３２及び突き当て部材３３，３４を用いて枠体２の位置調整を行う場合には、ユーザは、枠体２を前方に突き当て部材３３，３４に突き当てるとともに、枠体２を左方に角突き当て部材３２に突き当てる。その後、ユーザは、保持部２１によって、枠体２を挟み込んで固定する。単一の保持部２１のみが配置されていると、左右方向のサイズが異なる複数種類の枠体２の位置調整を行う場合には、スクリーン枠１の左右方向における中央においてスクリーン枠１を保持することができず、角突き当て部材３２の位置を左右方向に移動させることになる。
【００６５】
以上説明した本実施の形態では、スクリーンを保持するスクリーン枠１が取り付けられる製版装置１０及び印刷装置２０（スクリーン枠取付装置の一例）は、スクリーン枠１の周縁に設けられた枠側位置決め部材（枠側位置決め部の一例）３の凹部３ａに対してスクリーン枠１の位置決めを行う装置側位置決め部材（装置側位置決め部の一例）１４，２２を備える。装置側位置決め部材１４，２２は、凸部１４ａ，２２ａが枠側位置決め部材３に設けられた凹部３ａに挿入されることによって、スクリーン枠１の位置決めを行う。
【００６６】
そのため、ユーザは、装置側位置決め部材１４，２２の凸部１４ａ，２２ａをスクリーン枠１の周縁に設けられた凹部３ａに挿入するという簡単な動作で、スクリーン枠１を製版装置１０や印刷装置２０において左右方向に位置決めすることができる。そのため、左右方向の位置調整機構及び前後方向の位置調整機構の両方を用いてスクリーン枠１の位置調整を行う態様と比較して、製版装置１０や印刷装置２０が大型化するのを防止することができる。なお、図１２及び図１３に示す比較例のように、ユーザがスクリーン枠（枠体２）を前後方向に突き当て部材３３，３４に突き当てるとともに左右方向に角突き当て部材３２に突き当てることでスクリーン枠１の位置調整を行う構成の場合、左右方向の位置決めのために角突き当て部材３２が配置されることになるため構造が複雑化するととともに、枠体２の複数種類のサイズに対応させるために角突き当て部材３２の位置を左右方向に移動させると、手間や労力がかかる。よって、本実施の形態によれば、簡素な構成で且つ簡単にスクリーン枠１の位置調整を行うことができる。
【００６７】
また、本実施の形態では、装置側位置決め部材１４，２２は、凸部１４ａ，２２ａの凹部３ａに対する挿入方向（前後方向）に直交する断面積が先端部分にかけて小さくなる凸部１４ａ，２２ａを有する。また、枠側位置決め部材３の凹部３ａは、断面積が内部よりも開口部分で大きい。なお、装置側位置決め部材１４，２２に凹部が設けられ、枠側位置決め部材３に凸部が設けられる場合にも同様に、凹部の断面積が内部よりも開口部分で大きい凹部が装置側位置決め部材１４，２２に設けられ、断面積が先端部分にかけて小さくなる凸部が枠側位置決め部材３に設けられる。これにより、凸部１４ａ，２２ａが凹部３ａに挿入されやすくなるため、より一層簡単にスクリーン１の位置調整を行うことができる。
【００６８】
また、本実施の形態では、装置側位置決め部材１４，２２は、スクリーン枠１の取付領域Ａ１，Ａ２において、凸部１４ａ，２２ａの凹部３ａに対する挿入方向に直交する１辺の中央（取付領域Ａ１，Ａ２の中心線Ｃ１，Ｃ２上）に設けられている。これにより、スクリーン枠１のサイズの大小に関わらず、装置側位置決め部材１４，２２がスクリーン枠１の左右方向の中央においてスクリーン枠１の位置決めを行うことができるため、スクリーン枠１を安定して取り付けることができる。
【００６９】
また、本実施の形態では、装置側位置決め部材１４，２２は、凸部１４ａ，２２ａの凹部３ａに対する挿入方向に直交する方向（例えば、左右方向又は上下方向）に位置調整可能に配置されている。これにより、スクリーン枠１の凹部３ａの位置などに合わせて装置側位置決め部材１４，２２の位置調整を簡単に行うことができる。
【００７０】
また、本実施の形態では、製版印刷システムは、スクリーン枠１が取り付けられる製版装置１０と、スクリーン枠１が取り付けられる印刷装置２０とを具備する。製版装置１０及び印刷装置２０のそれぞれは、スクリーン枠１の周縁に設けられた枠側位置決め部（例えば枠側位置決め部材３）に対してスクリーン枠１の位置決めを行う装置側位置決め部（例えば装置側位置決め部材１４，２２）を備える。製版装置１０の装置側位置決め部材１４と印刷装置２０の装置側位置決め部材２２とは、スクリーン枠１の取り付け領域Ａ１，Ａ２において、スクリーン枠１の左右方向における１辺のうち、中央（取付領域Ａ１，Ａ２の中心線Ｃ１，Ｃ２上）に設けられているか、又は中央に対する位置（シフト量）が共通である。これにより、製版装置１０及び印刷装置２０のそれぞれにおいて、簡単な動作で取付領域Ａ１，Ａ２の所定位置（例えば中央）にスクリーン枠１の位置調整を行うことができる。また、製版装置１０及び印刷装置２０が共通の枠側位置決め部材３においてスクリーン枠１の位置決めを行うため、簡素な構成で製版位置や印刷位置がずれにくくなり、製版精度や印刷精度が向上する。
【００７１】
また、本実施の形態では、装置側位置決め部（装置側位置決め部材１４，２２）及び枠側位置決め部（枠側位置決め部材３）は、一方が凸部１４ａ，２２ａであり他方が凹部３ａである。そのため、ユーザは、装置側位置決め部材１４，２２の凸部１４ａ，２２ａ（又は凹部）をスクリーン枠１の周縁に設けられた凹部３ａ（又は凸部）に挿入するという簡単な動作で、スクリーン枠１を製版装置１０や印刷装置２０において左右方向に位置決めすることができる。
【００７２】
また、本実施の形態では、スクリーン枠１の凹部３ａ（又は凸部）は、枠体２とは別体の枠側位置決め部材３に設けられている。そのため、既存の枠体２に枠側位置決め部材３を取り付けることで、簡単に凹部３ａ（又は凸部）をスクリーン枠１に設けることが可能となる。また、凹部３ａ（又は凸部）を枠体２に直接的に設けるのが加工上困難であっても、スクリーン枠１に凹部３ａ（又は凸部）を設けることが可能となる。
【００７３】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００７４】
［付記１］
スクリーンを保持するスクリーン枠が取り付けられるスクリーン枠取付装置であって、
前記スクリーン枠の周縁に設けられた枠側位置決め部に対して前記スクリーン枠の位置決めを行う装置側位置決め部を備え、
前記装置側位置決め部は、当該装置側位置決め部及び前記枠側位置決め部のうちの一方に設けられた凸部が他方に設けられた凹部に挿入されることによって、前記スクリーン枠の位置決めを行う
ことを特徴とするスクリーン枠取付装置。
【００７５】
［付記２］
前記装置側位置決め部は、前記凸部の前記凹部に対する挿入方向に直交する断面積が先端部分にかけて小さくなる前記凸部、又は前記断面積が内部よりも開口部分で大きい前記凹部を有する
ことを特徴とする付記１記載のスクリーン枠取付装置。
【００７６】
［付記３］
前記装置側位置決め部は、前記スクリーン枠の取付領域において、前記凸部の前記凹部に対する挿入方向に直交する１辺の中央に設けられている
ことを特徴とする付記１又は２記載のスクリーン枠取付装置。
【００７７】
［付記４］
前記装置側位置決め部は、前記凸部の前記凹部に対する挿入方向に直交する方向に位置調整可能に配置されている
ことを特徴とする付記１乃至３のいずれか記載のスクリーン枠取付装置。
【００７８】
［付記５］
スクリーン枠が取り付けられる製版装置と、
前記スクリーン枠が取り付けられる印刷装置とを具備し、
前記製版装置及び前記印刷装置のそれぞれは、前記スクリーン枠の周縁に設けられた枠側位置決め部に対して前記スクリーン枠の位置決めを行う装置側位置決め部を備え、
前記製版装置の前記装置側位置決め部と前記印刷装置の前記装置側位置決め部とは、前記スクリーン枠の取り付け領域において、前記スクリーン枠の左右方向における１辺のうち、中央に設けられているか、又は当該中央に対する位置が共通である
ことを特徴とする製版印刷システム。
【００７９】
［付記６］
前記装置側位置決め部及び前記枠側位置決め部は、一方が凸部であり他方が凹部である
ことを特徴とする付記５記載の製版印刷システム。
【符号の説明】
【００８０】
１  スクリーン枠
２  枠体
２ａ  取付孔
３  枠側位置決め部材
３ａ  凹部
３ｂ，３ｃ  突き当て凸部
３ｄ  取付孔
１０  製版装置
１１  枠状本体
１２  製版部
１３  取付部材
１３ａ  長孔
１４  装置側位置決め部材
１４ａ  凸部
１５，１６  突き当て部材
１７  スライド部材
１７ａ，１７ｂ  ピン
２０  印刷装置
２１  保持部
２１ａ  ベース部
２１ａ−１  突き当て鉛直部
２１ａ−２  上水平部
２１ａ−３  下水平部
２１ａ−４  長孔
２１ｂ  押さえネジ
２１ｃ  押さえ部
２１ｄ  取付ネジ
２２    装置側位置決め部材
２２ａ  凸部
２２ｂ  支持プレート
２２ｂ−１  長孔
２３  載置台
２４  脚部
２５  回動アーム
２６  回動軸
２７  スライドアーム
２９    位置決め部材
２９ａ  凸部
２９ｂ  支持プレート
２９ｂ−１  長孔
３１  取付部材
３２  角突き当て部材
３３，３４  突き当て部材
Ａ１，Ａ２  取付領域
Ｃ１，Ｃ２  中心線
【図１】
2020192687.tif 000003
【図２】
2020192687.tif 000004
【図３】
2020192687.tif 000005
【図４】
2020192687.tif 000006
【図５】
2020192687.tif 000007
【図６】
2020192687.tif 000008
【図７】
2020192687.tif 000009
【図８】
2020192687.tif 000010
【図９】
2020192687.tif 000011
【図１０】
2020192687.tif 000012
【図１１】
2020192687.tif 000013
【図１２】
2020192687.tif 000014
【図１３】
2020192687.tif 000015